(57)【要約】【課題】シミュレーションの計算の破綻を抑制して計算の安定化を図るとともに、計算の効率化を図ることができるタイヤのシミュレーション方法、その装置およびプログラムを提供する。【解決手段】タイヤのシミュレーション方法は、タイヤについて、コンピュータで解析可能なタイヤモデルを作成する作成工程と、タイヤモデルに所定の内圧を付与して、タイヤモデルの径方向において最大となる位置の位置情報を取得する位置情報取得工程と、タイヤが接触する路面について、コンピュータで解析可能な路面モデルを作成し、位置情報に基づいてタイヤモデルの最大の位置から径方向に所定の距離を与えた設定位置の設定位置情報を求め、この設定位置情報に基づき、設定位置に路面モデルを設定する設定工程と、タイヤモデルの回転軸および路面モデルのいずれか一方を拘束して接触解析を行う解析工程とを有する。【選択図】図３
2015125461.tif 000002
【特許請求の範囲】
【請求項１】
タイヤについて、コンピュータで解析可能なタイヤモデルを作成する作成工程と、
前記タイヤモデルに内圧充填処理を施し、前記タイヤモデルの径方向において最大となる位置の位置情報を取得する位置情報取得工程と、
前記タイヤが接触する路面について、コンピュータで解析可能な路面モデルを作成し、前記位置情報に基づいて前記タイヤモデルの最大の位置から前記径方向に所定の距離を与えた設定位置の設定位置情報を求め、この設定位置情報に基づき、前記設定位置に前記路面モデルを設定する設定工程と、
前記タイヤモデルの回転軸および前記路面モデルのいずれか一方を拘束して接触解析を行う解析工程とを有することを特徴とするタイヤのシミュレーション方法。
【請求項２】
前記作成工程で、前記タイヤの形状または構造を変えた、前記タイヤモデルを少なくとも２つ作成し、
前記位置情報取得工程で、各タイヤモデルについて、それぞれ設定位置情報を取得し、
前記設定工程で、前記各設定位置情報に基づき、前記路面モデルを設定し、
前記解析工程は、各タイヤモデルについて、それぞれ接触解析を行う請求項１に記載のタイヤのシミュレーション方法。
【請求項３】
前記作成工程で、前記タイヤモデルとして２次元の軸対称のタイヤ断面モデルを作成し、
前記設定工程で、前記２次元の軸対称のタイヤ断面モデルに対して、前記路面モデルを設定し、
前記解析工程では、前記２次元の軸対称のタイヤ断面モデルを周方向に展開して得られる３次元タイヤモデルを用いて接触解析を行う請求項１または２に記載のタイヤのシミュレーション方法。
【請求項４】
設計変数として少なくとも前記タイヤの形状を変化させる因子を含み、目的関数として少なくとも前記タイヤの物理特性を含み、前記解析工程で、前記接触解析後、前記設計変数を用いて前記タイヤの物理特性を目的関数とする最適化計算を実施し、前記タイヤの物理量を算出する請求項１〜３のいずれか１項に記載のタイヤのシミュレーション方法。
【請求項５】
タイヤについて、コンピュータで解析可能なタイヤモデルと、前記タイヤが接触する路面について、コンピュータで解析可能な路面モデルを作成するモデル作成部と、
前記タイヤモデルに所定の内圧を付与して内圧充填処理を施すとともに、前記タイヤモデルの回転軸および前記路面モデルのいずれか一方を拘束して接触解析を行う解析部と
前記内圧充填処理された前記タイヤモデルの径方向において最大となる位置の位置情報を取得する位置情報取得部と、
前記位置情報に基づいて前記タイヤモデルの最大の位置から前記径方向に所定の距離を与えた設定位置の設定位置情報を求め、この設定位置情報に基づき、前記設定位置に前記路面モデルを設定する設定部とを有することを特徴とするタイヤのシミュレーション装置。
【請求項６】
前記モデル作成部は、前記タイヤの形状または構造を変えた、前記タイヤモデルを少なくとも２つ作成するものであり、
前記位置情報取得部は、各タイヤモデルについて、それぞれ設定位置情報を取得するものであり、
前記設定部は、前記各設定位置情報に基づき、前記路面モデルを設定するものであり、
前記解析部は、各タイヤモデルについて、それぞれ接触解析を行う請求項５に記載のタイヤのシミュレーション装置。
【請求項７】
前記モデル作成部は、前記タイヤモデルとして２次元の軸対称のタイヤ断面モデルを作成し、さらに前記２次元の軸対称のタイヤ断面モデルを周方向に展開して得られる３次元タイヤモデルを作成するものであり、
前記設定部は、前記２次元の軸対称のタイヤ断面モデルに対して、前記路面モデルを設定するものであり、
前記解析部は、前記３次元タイヤモデルを用いて接触解析を行う請求項５または６に記載のタイヤのシミュレーション装置。
【請求項８】
設計変数として少なくとも前記タイヤの形状を変化させる因子を含み、目的関数として少なくとも前記タイヤの物理特性を含み、前記解析部は、前記接触解析後、前記設計変数を用いて前記タイヤの物理特性を目的関数とする最適化計算を実施し、前記タイヤの物理量を算出する請求項５〜７のいずれか１項に記載のタイヤのシミュレーション装置。
【請求項９】
請求項１〜４のいずれか１項に記載のタイヤのシミュレーション方法の各工程を手順としてコンピュータに実行させるためのプログラム。
【発明の詳細な説明】
【技術分野】
【０００１】
本発明は、コンピュータを用いたタイヤのシミュレーション方法、その装置およびプログラムに関し、特に、シミュレーションの計算の破綻を抑制し、かつ計算効率を向上させたタイヤのシミュレーション方法、その装置およびプログラムに関する。
【背景技術】
【０００２】
現在、コンピュータが解析可能なタイヤモデル等を作成し、タイヤ等の性能をシミュレーションする方法が提案されている。性能シミュレーションでは、タイヤを有限個の要素に分割して得られたタイヤモデルを作成し、この有限要素で構成されたタイヤモデルを、路面を模した仮想路面で転動させている。タイヤの性能シミュレーションを用いてタイヤを設計する場合、最適化設計手法に基づき複数のタイヤ形状についてシミュレーションを行っている（特許文献１参照）。
【０００３】
特許文献１には、タイヤ断面形状を少ない設計変数で広い設計範囲を規定して、タイヤ性能に応じた最適設計を効率よく行うタイヤ断面形状の設計方法が記載されている。特許文献１では、基底形状としてタイヤ断面方向の複数の固有モードを使用し、タイヤの形状最適化を行うことが記載されている。
【先行技術文献】
【特許文献】
【０００４】
【特許文献１】特許第４７２３０５７号公報
【発明の概要】
【発明が解決しようとする課題】
【０００５】
上述の特許文献１のタイヤの最適設計では、複数のタイヤについてシミュレーションを実施している。複数のシミュレーションをする際、図７（ａ）に示すように、コンピュータが解析可能なタイヤモデル１００が作成され、このタイヤモデル１００に対向してコンピュータが解析可能な路面モデル１１０が作成される。このとき、タイヤモデル１００と路面モデル１１０との相対位置が適正でない場合、タイヤに内圧を付与してインフレートしたり、外径や構造の変化を含むタイヤの形状パラメータを変えてシミュレーションすると、図７（ｂ）に示すタイヤモデル１０２のように、例えば、トレッド１０４の一部が路面モデル１１０に貫入する。このような場合、タイヤのシミュレーションの計算が破綻してしまう。これは、最適化計算または実験計画手法等の様々な形状について特性値を繰り返し計算する際に大きな問題となる。
【０００６】
そこで、インフレートおよび形状パラメータの変更によるタイヤの形状の変化を考慮して、タイヤモデル１００と路面モデル１１０との間の距離を大きくすることにより、上述のタイヤモデル１０２の路面モデル１１０への貫入を抑制し、上記計算の破綻を回避することができる。しかし、この場合、タイヤモデル１０２と路面モデル１１０とが接触する迄の計算時間が増大し、シミュレーションに要する計算時間が増大するという問題点がある。
【０００７】
上述の方法以外にも、インフレートまたは形状パラメータの変更によるタイヤの形状変更の度に、タイヤモデル１００と路面モデル１１０との間隔をオペレータが確認し、間隔に応じてタイヤモデル１００と路面モデル１１０との相対位置を設定することにより、上述のタイヤモデル１０２のような路面モデル１１０への貫入（図７（ｂ）参照）を抑制することができる。この場合でも、１つのタイヤモデルだけを計算するのであればよいが、形状を変える等の複数のタイヤモデルを対象とした多数の解析モデルを取り扱う場合には、入力作業が増加して工数がかかり非効率的である。加えて、最終的にシミュレーションが終了する迄に要する時間も増大するという問題点がある。
【０００８】
本発明の目的は、前述の従来技術に基づく問題点を解消し、シミュレーションの計算の破綻を抑制して計算の安定化を図るとともに、計算の効率化を図ることができるタイヤのシミュレーション方法、その装置およびプログラムを提供することにある。
【課題を解決するための手段】
【０００９】
上記目的を達成するために、本発明は、タイヤについて、コンピュータで解析可能なタイヤモデルを作成する作成工程と、前記タイヤモデルに内圧充填処理を施し、前記タイヤモデルの径方向において最大となる位置の位置情報を取得する位置情報取得工程と、前記タイヤが接触する路面について、コンピュータで解析可能な路面モデルを作成し、前記位置情報に基づいて前記タイヤモデルの最大の位置から前記径方向に所定の距離を与えた設定位置の設定位置情報を求め、この設定位置情報に基づき、前記設定位置に前記路面モデルを設定する設定工程と、前記タイヤモデルの回転軸および前記路面モデルのいずれか一方を拘束して接触解析を行う解析工程とを有することを特徴とするタイヤのシミュレーション方法を提供するものである。
【００１０】
前記作成工程で、前記タイヤの形状または構造を変えた、前記タイヤモデルを少なくとも２つ作成し、前記位置情報取得工程で、各タイヤモデルについて、それぞれ設定位置情報を取得し、前記設定工程で、前記各設定位置情報に基づき、前記路面モデルを設定し、前記解析工程は、各タイヤモデルについて、それぞれ接触解析を行うことができる。
前記作成工程で、前記タイヤモデルとして２次元の軸対称のタイヤ断面モデルを作成し、前記設定工程で、前記２次元の軸対称のタイヤ断面モデルに対して、前記路面モデルを設定し、前記解析工程では、前記２次元の軸対称のタイヤ断面モデルを周方向に展開して得られる３次元タイヤモデルを用いて接触解析を行うことが好ましい。
【００１１】
設計変数として少なくとも前記タイヤの形状を変化させる因子を含み、目的関数として少なくとも前記タイヤの物理特性を含み、前記解析工程で、前記接触解析後、前記設計変数を用いて前記タイヤの物理特性を目的関数とする最適化計算を実施し、前記タイヤの物理量を算出することもできる。
【００１２】
本発明は、タイヤについて、コンピュータで解析可能なタイヤモデルと、前記タイヤが接触する路面について、コンピュータで解析可能な路面モデルを作成するモデル作成部と、前記タイヤモデルに所定の内圧を付与して、前記タイヤモデルの径方向において最大となる位置の位置情報を取得する位置情報取得部と、前記位置情報に基づいて前記タイヤモデルの最大の位置から前記径方向に所定の距離を与えた設定位置の設定位置情報を求め、この設定位置情報に基づき、前記設定位置に前記路面モデルを設定する設定部と、前記タイヤモデルの回転軸および前記路面モデルのいずれか一方を拘束して接触解析を行う解析部とを有することを特徴とするタイヤのシミュレーション装置を提供するものである。
【００１３】
前記モデル作成部は、前記タイヤの形状または構造を変えた、前記タイヤモデルを少なくとも２つ作成するものであり、前記位置情報取得部は、各タイヤモデルについて、それぞれ設定位置情報を取得するものであり、前記設定部は、前記各設定位置情報に基づき、前記路面モデルを設定するものであり、前記解析部は、各タイヤモデルについて、それぞれ接触解析を行うこともできる。
前記モデル作成部は、前記タイヤモデルとして２次元の軸対称のタイヤ断面モデルを作成し、さらに前記２次元の軸対称のタイヤ断面モデルを周方向に展開して得られる３次元タイヤモデルを作成するものであり、前記設定部は、前記２次元の軸対称のタイヤ断面モデルに対して、前記路面モデルを設定するものであり、前記解析部は、前記３次元タイヤモデルを用いて接触解析を行うことが好ましい。
【００１４】
設計変数として少なくとも前記タイヤの形状を変化させる因子を含み、目的関数として少なくとも前記タイヤの物理特性を含み、前記解析部は、前記接触解析後、前記設計変数を用いて前記タイヤの物理特性を目的関数とする最適化計算を実施し、前記タイヤの物理量を算出することもできる。
【００１５】
本発明のタイヤのシミュレーション方法の各工程を手順としてコンピュータに実行させるためのプログラムを提供するものである。
【発明の効果】
【００１６】
本発明によれば、シミュレーションの計算の破綻を抑制して計算の安定化を図るとともに、計算の効率化を図ることができるタイヤのシミュレーション方法およびシミュレーション装置ならびにタイヤのシミュレーション用のプログラムを提供することができる。
本発明では、タイヤサイズの変化に伴い発生する、路面モデルのタイヤモデルへの貫入を防ぐことが可能となり、路面モデル等との接触解析を含む形状最適化計算のような繰返し計算時には非常に好適である。また、タイヤサイズの変化に関わらず、コンピュータが自動で路面モデルの位置を設定することが可能となり、計算時間の短縮による効率化が見込まれる。
【図面の簡単な説明】
【００１７】
【図１】本発明の第１の実施形態のシミュレーション方法に用いられるシミュレーション装置を示す模式図である。
【図２】本発明の第１の実施形態のシミュレーション方法に用いられるタイヤモデルを示す模式図である。
【図３】本発明の第１の実施形態のシミュレーション方法を示すフローチャートである。
【図４】（ａ）〜（ｃ）は、本発明の第１の実施形態のシミュレーション方法の解析工程を示す模式図である。
【図５】本発明の第２の実施形態のシミュレーション方法を示すフローチャートである。
【図６】（ａ）は、タイヤモデルの形状変更の例を示す模式図であり、（ｂ）は、タイヤモデルの形状変更の他の例を示す模式図である。
【図７】（ａ）は、従来のタイヤタイヤモデルを示す模式図であり、（ｂ）は、従来のタイヤタイヤモデルの問題点を説明するための模式図である。
【発明を実施するための形態】
【００１８】
以下に、添付の図面に示す好適実施形態に基づいて、本発明のシミュレーション方法、その装置およびプログラムを詳細に説明する。
図１は、本発明の第１の実施形態のシミュレーション方法に用いられるシミュレーション装置を示す模式図である。
【００１９】
図１に示すシミュレーション装置１０（以下、単に処理装置１０という）は、本発明のタイヤのシミュレーション方法を実施する装置の一例である。処理装置１０は、コンピュータ等のハードウェアを用いて構成される。本発明のタイヤのシミュレーション方法には、図１に示す処理装置１０が用いられるが、タイヤのシミュレーション方法をコンピュータ等のハードウェアおよびソフトウェアを用いて実行することができれば処理装置１０に限定されるものではない。
【００２０】
処理装置１０は、処理部１２と、入力部１４と、表示部１６とを有する。処理部１２は、条件設定部２０、モデル作成部２２、解析部２４、探索部２６、メモリ２８、表示制御部３０および制御部３２を有する。この他に図示はしないがＲＯＭ等を有する。
処理部１２は、制御部３２により制御される。また、処理部１２において条件設定部２０、モデル作成部２２、解析部２４、探索部２６および表示制御部３０はメモリ２８に接続されており、条件設定部２０、モデル作成部２２、解析部２４、および探索部２６のデータがメモリ２８に記憶される。
【００２１】
入力部１４は、マウスおよびキーボード等の各種情報をオペレータの指示により入力するための各種の入力デバイスである。表示部１６は、例えば、本発明のタイヤのシミュレーション方法で得られた結果等を表示するものであり、公知の各種のディスプレイが用いられる。また、表示部１６には各種情報を出力媒体に表示するためのプリンタ等のデバイスも含まれる。
【００２２】
処理装置１０は、ＲＯＭ等に記憶されたプログラム（コンピュータソフトウェア）を、制御部３２を用いて実行することにより、条件設定部２０、モデル作成部２２、解析部２４および探索部２６の各部を機能的に形成する。処理装置１０は、上述のように、プログラムが実行されることで各部位が機能するコンピュータによって構成されてもよいし、各部位が専用回路で構成された専用装置であってもよい。
【００２３】
条件設定部２０は、本実施形態のタイヤのシミュレーション方法において必要なタイヤのサイズ、タイヤを構成する各部材の大きさ、配置位置および弾性係数等の物理特性等の各種の条件および情報が入力され、設定するものである。各種の条件および情報は入力部１４を介して入力される。条件設定部２０で設定する各種の条件および情報はメモリ２８に記憶される。
【００２４】
また、本発明では、接触解析を行うが、接触の定義も設定される。接触とは、例えば、スキムタッチ（タイヤが接触するぎりぎりの荷重）で規定することができる。ここで、スキムタッチとはタイヤが路面と接触するぎりぎりの荷重負荷状態を示す（特許４１６０７０９号公報、特許４１１９５８５号公報参照）。接触解析では、例えば、スキムタッチの状態を求める。
これ以外も、接触は、荷重状態で定義することができ、接触荷重が、例えば、５Ｎまたは１０Ｎであれば接触しているとすることができる。接触荷重は特に限定されるものではない。
静解析のような静的な力のつり合いを計算する場合、計算上はタイヤモデルまたは路面モデルに変位を与えて接触させている。そのため、たわみ量またはばね定数を算出する際、その基準となるスキムタッチ状態を容易に算出可能となる。
【００２５】
条件設定部２０には、タイヤおよびタイヤを構成する材料を規定するパラメータのうち設計変数として定めた複数のパラメータが設定される。なお、設計変数のパラメータには、荷重および境界条件等のばらつき因子、ならびに製品の場合には、大きさおよび質量等の制約条件を設定してもよい。
また、タイヤおよびタイヤを構成する材料を規定するパラメータのうち特性値（目的関数）として定めた複数のパラメータが設定される。特性値には、コスト等の物理的および化学的な特性値以外の、タイヤおよびタイヤを構成する材料を評価する指標を用いてもよい。タイヤおよびタイヤを構成する材料は、タイヤ単体ではなく、タイヤを構成するパーツ、タイヤのアッセンブリ形態等のタイヤを含むシステム全体、またはその一部を対象としてもよい。
【００２６】
条件設定部２０に設定される特性値は評価しようとする物理量である。目的関数は、評価しようとする物理量を求めるための関数である。
タイヤの場合、特性値はタイヤの特性値である。特性値としては、例えば、タイヤ性能として評価しようとする物理量であり、操縦安定性の指標となるスリップ角ゼロ近傍における横力であるＣＰ（コーナリングパワー）、乗心地性の指標となるタイヤの１次固有振動数、低燃費性能の指標となる転がり抵抗、操縦安定性の指標となる横剛性、縦剛性、たわみ量、接地圧分布、コーナリングフォースおよび耐摩耗性の指標となるタイヤトレッド部材の摩耗エネルギ等が挙げられる。これ以外に、タイヤの物理量の例として、形状および寸法値がある。目的関数は、それらを求めるための関数である。目的関数は、性能として好ましい方向があり、値が大きくなる、小さくなる、または所定の値に近づく等がある。
【００２７】
設計変数は、タイヤの材料挙動、タイヤの形状、タイヤの断面形状、タイヤの固有振動モードおよびタイヤの構造のうち、複数のパラメータである。設計変数としては、例えば、タイヤのトレッド部におけるクラウン形状を規定する曲率半径、タイヤ内部構造を規定するタイヤのベルト幅寸法等が挙げられる。これ以外にも、例えば、トレッド部における材料特性を規定するフィラー分散形状、およびフィラー体積率等が挙げられる。
制約条件は、目的関数の値を所定の範囲に制約したり、設計変数の値を所定の範囲に制約するための条件である。
また、タイヤの負荷荷重、タイヤの転動速度を初めとする走行条件、タイヤが走行する路面条件、例えば、凹凸形状、摩擦係数等、車両の走行シミュレーションに用いるための車両諸元の情報等が設定される。
【００２８】
また、条件設定部２０に、タイヤの設計変数のパラメータとタイヤの特性値のパラメータとの間の非線形応答関係を定めるための情報が設定される。この非線形応答関係には、例えば、ＦＥＭ等の数値シミュレーション、理論式および近似式等が含まれる。
条件設定部２０では、非線形応答関係により生成するタイヤモデル、そのタイヤモデルの境界条件、ＦＥＭ等の数値シミュレーションする場合には、そのシミュレーション条件、シミュレーションにおける制約条件を設定する。
【００２９】
最適化に用いられる最適解探索のための条件は、最適解を探索するための手法、最適解探索における各種条件である。本実施形態では、例えば、最適解を探索するための手法として、遺伝的アルゴリズム（ＧＡ）を用いることができる。一般に、特性値（目的関数）の増大と共に、遺伝的アルゴリズムの探索能力が低下することが知られている。それを解決する方法の一つが、個体数を増加させる方法である。一方、個体数を増加させ、最適解を探索すると、多くの最適解が算出される。
これ以外に、条件設定部２０に設計変数の定義域を設定する。設計変数の定義域は、連続的でも離散的な水準値でもよく、特定の設計変数だけに定義域を設定し、残りの設計変数を定数としてもよい。
【００３０】
なお、複数の設計変数があるため、全ての設計変数に対して、それぞれに離散的な水準値を設定し、残りの設計変数について定義域を定数として、最適解の算出を行ってもよい。最適化計算に関しては、入力変数と出力変数の非線形関係（応答曲面）を用いて探索する手法および最適化アルゴリズムに従い入力変数を逐次的に変化させながら出力値を算出して探索する手法のどちらを用いてもよい。
【００３１】
モデル作成部２２は、タイヤについてコンピュータで解析可能なタイヤモデルと、タイヤが接触する路面についてコンピュータで解析可能な路面モデルを作成するものであり、路面はタイヤを転動させる対象である。
タイヤモデルとしては、タイヤが装着されるリム、ホイール、およびタイヤ回転軸を再現するものをタイヤモデルとしてもよい。また、必要に応じて、タイヤが装着される車両を再現するモデルをタイヤモデルに組み込んでもよい。この際、タイヤモデル、リムモデル、ホイールモデル、およびタイヤ回転軸モデルを、予め設定された境界条件に基づいて一体化したモデルを作成することもできる。
また、解析に用いるタイヤモデルの形態は、特に限定されるものではなく、溝のないスムースタイヤでも主溝のみのものでもパターン付きであってもよい。
【００３２】
なお、モデル作成部２２で作成されるタイヤモデルは、条件設定部２０で設定された各種類の設計パラメータを用いて作成されるが、タイヤモデルの作成には公知の作成方法を用いることができる。
例えば、タイヤを複数の節点で構成される有限個の要素に分割して、タイヤモデル４０を作成する。路面モデル４２はタイヤモデル４０と同様に作成してもよいし、弾性体として解析モデル化してもよいし、さらには剛体として解析モデル化してもよい。また、路面モデル４２は、３次元離散化モデルでもよいし、サーフェスとして解析モデル化してもよい。
タイヤモデル４０または路面モデル４２を構成する要素は、例えば、２次元平面では四辺形要素、３次元体では四面体ソリッド要素、五面体ソリッド要素、六面体ソリッド要素等のソリッド要素、三角形シェル要素、四角形シェル要素等のシェル要素、面要素等のコンピュータで解析可能な要素とする。このようにして分割された要素は、解析の過程においては、３次元モデルでは３次元座標を用いて、２次元モデルでは２次元座標を用いて逐一特定される。
【００３３】
また、モデル作成部２２では、設定された非線形応答関係に基づいて、各種の計算モデルを作成するものである。非線形応答関係は、上述のようにＦＥＭ等の数値シミュレーションが含まれており、この場合、モデル作成部２２で、設計変数を表わす設計パラメータ、特性値を表わす特性値パラメータに応じたメッシュモデルが生成される。また、理論式および近似式等の場合にも、設計パラメータ、特性値パラメータに応じた理論式および近似式等が作成される。なお、構造体がタイヤの場合には、タイヤモデルが作成される。解析部２４でタイヤモデルを用いてシミュレーション演算がなされる。
【００３４】
これら各モデルは数値計算可能な離散化モデルであればよく、例えば、公知の有限要素法（ＦＥＭ）に用いるための有限要素モデル等であればよい。なお、タイヤモデルを用いて、例えば、タイヤウエット性能を初めとするタイヤ性能を最適化するタイヤ設計案を求める場合等、路面モデルとタイヤモデルの他に、路面上に存在する介在物を再現するモデルを生成しておけばよい。例えば、介在物モデルとして、路面上の水、雪、泥、砂、砂利および氷等を再現する各種モデルを、数値計算可能な離散化モデルで生成しておけばよい。なお、路面モデルも、表面が平坦な路面を再現するモデルに限らず、必要に応じて、表面に凹凸を有する路面形状を再現するモデルであってもよい。
本実施形態では、シミュレーションに用いる数値計算の手法としては、有限要素法（ＦＥＭ）に限定されるものではなく、境界要素法（ＢＥＭ）および有限差分法（ＦＤＭ）等も使用できる。また、境界条件等によって最も適当な数値計算の手法を選択するか、または複数の数値計算の手法を組み合わせることもできる。
【００３５】
解析部２４は、タイヤモデルに対して所定の内圧を付与して内圧充填処理（インフレート処理とも言う）を施し、内圧充填処理後のタイヤモデルの径方向において最大となる位置の位置情報を取得する。この位置情報に基づいてタイヤモデルの径方向における最大の位置から径方向に所定の距離を与えた位置を設定位置とし、この設定位置の設定位置情報を取得する。この設定位置情報に基づき、上記設定位置に路面モデルを設定する。解析部２４は、最大となる位置の位置情報を取得する位置情報取得部と、設定位置情報を取得し、設定位置に路面モデルを設定する設定部を兼ねる。
具体的には、図２に示すように、所定の内圧を付与して内圧充填処理を施したタイヤモデル４０の径方向Ｄにおける最大の位置Ａ、すなわち、径方向Ｄにおけるタイヤモデル４０の最大径Ｘ（ｍｍ）となる位置の位置情報を取得する。位置Ａに対して、所定の距離、図２では距離Ｙ（ｍｍ）離間した位置に路面モデル４２を配置する。なお、図２に示す内圧充填処理を施したタイヤモデル４０は、図示を一部省略しているが回転軸Ｃを対称軸とする軸対称の２次元タイヤ断面モデルである。回転軸Ｃは車軸ともいう。符号４４は、リムモデルを示す。図２では、リムに嵌められたタイヤをコンピュータで解析可能なタイヤモデルを示している。なお、リムはなくてもよい。
【００３６】
解析部２４では、図２に示す状態でタイヤモデル４０の回転軸Ｃおよび路面モデル４２のいずれか一方を拘束して接触解析を行う。また、解析部２４では、モデル作成部２２で作成された各種のモデルを用いて特性値を算出する。これにより、設計変数に対する特性値が得られる。得られた特性値は、メモリ２８に記憶される。
解析部２４では、例えば、路面上を転動するタイヤの転動を再現するシミュレーション条件を、モデル作成部２２で生成したタイヤモデル、または路面モデル等に与えたときの、タイヤモデルの挙動、またはタイヤモデルに作用する力等の物理量を時系列に求める。解析部２４は、例えば、公知の有限要素ソルバーによるサブルーチンを実行することで機能するものである。
また、解析部２４では、モデル作成部２２で理論式および近似式等を作成した場合には、理論式および近似式等を解き、特性値を算出する。
解析部２４では、接触解析後、接触圧、タイヤ剛性および転動特性等の物理量を解析することもできる。
【００３７】
距離Ｙは、０＜Ｙ≦１０（ｍｍ）程度が好ましい。距離Ｙはコンピュータまたはソフトウェア内における計算誤差、例えば、丸め誤差、打ち切り誤差、桁落ちおよび情報落ち等を考慮しつつゼロに近い値に設定することが好ましい。計算誤差によって、例えば、１ｍｍ未満でもタイヤモデル４０が路面モデル４２に接する虞がある。一方、距離Ｙが１０ｍｍを超えると計算時間が長くなる可能性がある。
【００３８】
探索部２６は、条件設定部２０で設定された最適解探索の条件に応じて、解析部２４で得られた特性値を基に、最適解を探索し、最適解を算出するものである。得られた最適解は、メモリ２８に記憶される。
最適解については、以下に示す方法で探索することができる。例えば、解析部２４で得られた特性値の中から最適解を探索する。得られた特性値を基に応答曲面を作成し最適解を探索する。得られた特性値を基に最適化アルゴリズムを用いて最適解を探索する。
ここで、最適解は、トレードオフの関係にある複数の特性値（目的関数）において、他の任意の解よりも優位にあるとはいえないが、より優れた解が他に存在しない解をいう。一般に最適解は集合として複数個存在する。
【００３９】
探索部２６は、例えば、遺伝的アルゴリズム（ＧＡ）を用いて最適解を探索する。
遺伝的アルゴリズムとしては、例えば、解集合を目的関数に沿って複数の領域に分割し、この分割した解集合毎に多目的ＧＡを行うＤＲＭＯＧＡ（Divided Range Multi-Objective GA）、ＮＣＧＡ（Neighborhood Cultivation GA），ＤＣＭＯＧＡ（Distributed Cooperation model of MOGA and SOGA）、ＮＳＧＡ（Non-dominated Sorting GA）、ＮＳＧＡ２（Non-dominated Sorting GA-II）、ＳＰＥＡII（Strength Pareto Evolutionary Algorithm-II）法等の公知の方法を用いることができる。その際、解集合が解空間に幅広く分布し、精度の高い最適解の集合を求める必要がある。このため、探索部２６では、例えば、ベクトル評価遺伝的アルゴリズム（Vector Evaluated Generic Algorithms：ＶＥＧＡ）、パレートランキング法、またはトーナメント法を用いた選択が行われる。遺伝的アルゴリズム（ＧＡ）以外に、例えば、焼きなまし法（ＳＡ）または粒子群最適化（ＰＳＯ）等の進化的計算手法を用いても、効率よく解を探索することができる。
【００４０】
本発明では、設計変数と特性値との間で定める非線形応答関係、すなわち、設計変数を用いて特性値を求める場合に利用されるものは、ＦＥＭ等のシミュレーションに限定されるものではなく、上述のように理論式および近似式等を用いることもできる。例えば、シミュレーションモデルを用いた演算ではなく、シミュレーション近似式を用いて目的関数の値を算出してもよい。この場合、実験計画法に基づいて得られる実験結果から設計変数と目的関数との間の近似式、例えば、シミュレーション近似式を用いて最適解を得ることができる。このシミュレーション近似式としては、多項式またはニューラルネットワーク等により得られる公知の非線形関数を用いることができる。
ここで、例えば、非線形関係（応答曲面）を、２次多項式を用いて作成する場合、必要なサンプル数は入力変数の数をＮ個とすると、少なくともＮ（Ｎ＋３）／２＋１ケース必要となる。仮に入力変数を１０個とするとサンプル数は６６ケース、入力変数を３０個とするとサンプル数は４９６ケース必要となる。このように、最適化をするには、多くのタイヤモデルが必要である。
【００４１】
表示制御部３０は、タイヤモデル、路面モデル、数値計算の結果、および最適解を表示部１６に表示させるものであり、例えば、タイヤモデル、路面モデルをメモリ２８から読み出し、表示部１６に表示させる。
処理装置１０では、形状を変化させる際の入力ファイルにおいて、境界条件および解析ステップ等の共通した部分と節点座標値、補強材の配置角度および初期張力などの個々の形状によって異なる部分を分割し、共通部分に取り込むようなファイル形式を用いて自動化すること、すなわち、個別の情報をインクルードファイル化することにより、多数のタイヤ形状について検討を行う場合であっても容易にタイヤ形状の検討が可能である。
【００４２】
次に、本実施形態のタイヤのシミュレーション方法について説明する。
図３は、本発明の第１の実施形態のシミュレーション方法を示すフローチャートである。本実施形態では、サイズが２１５／５５Ｒ１７のタイヤをシミュレーションの対象とする。
シミュレーションの前に、タイヤの形状、タイヤのサイズ、タイヤのパターンを条件設定部２０に設定する。設計変数として、例えば、タイヤの形状パラメータを設定する。特性値（目的関数）として、縦剛性、例えば、転がり抵抗および横剛性等を設定する。本実施形態では、入力がタイヤの形状パラメータであり、出力が縦剛性、転がり抵抗および横剛性等となる。タイヤの形状パラメータの値により、縦剛性、転がり抵抗および横剛性がどのように変化するかをシミュレーションする。タイヤの形状パラメータ、縦剛性、転がり抵抗および横剛性が条件設定部２０に設定される。設計変数から特性値（目的関数）を求める際に用いる非線形応答を定める。
【００４３】
シミュレーション方法では、図３に示すように、条件設定部２０に設定された情報を用いて、モデル作成部２２でメッシュモデル等のタイヤモデル４０（図２参照）を作成する（ステップＳ１０）。次に、解析部２４で、タイヤモデル４０（図２参照）に対して内圧充填処理を施し、最大径の情報を取得する（ステップＳ１２）。これにより、図２に示す位置Ａの位置情報を取得することができる。
次に、位置Ａに対して径方向Ｄに所定の距離Ｙ（ｍｍ）を与えた設定位置、すなわち、所定の距離離れた位置に路面モデル４２（図２参照）を配置する（ステップＳ１４）。これにより、図２に示すようにタイヤモデル４０と路面モデル４２とが所定の距離離して配置された状態となる。なお、路面モデル４２は、モデル作成部２２でタイヤモデル４０と同時に作成しておいてもよく、位置Ａの位置情報を取得する際に作成してもよい。
【００４４】
次に、解析部２４で、タイヤモデル４０および路面モデル４２のいずれか一方を拘束し、この状態で接触解析を行う（ステップＳ１６）。接触解析では、例えば、スキムタッチの状態を求める。
なお、接触解析後、解析部２４で、上述の設定した非線形応答関係に基づいて特性値を算出する。具体的には、タイヤの形状パラメータに対する転がり抵抗と横剛性が算出され、例えば、メモリ２８に記憶される。
その後、探索部２６にて、特性値の演算結果に対して、特性値を目的関数とする最適化を実施し、パレート解を得る。このパレート解の算出には、例えば、遺伝的アルゴリズム、焼きなまし法（ＳＡ）および粒子群最適化（ＰＳＯ）等の進化的計算手法が用いられる。得られたパレート解は、メモリ２８に記憶される。
【００４５】
本実施形態においては、所定の内圧を付与して内圧充填処理を施したタイヤモデル４０に対して、最大外径となる位置Ａから所定の距離、例えば、０ｍｍを超え１０ｍｍ未満離間した位置に路面モデル４２を設定する。これにより、タイヤモデル４０が路面モデル４２に貫入することを抑制することができ計算の破綻が生じることがない。このため、最適化計算等の様々な形状に対して特性値を算出するような多くの繰り返し計算が必要な場合に、特に有効である。しかも、内圧充填処理を施したタイヤモデル４０に対して自動的に路面モデル４２が設定されるため、オペレータが内圧充填処理したタイヤモデルのインフレート形状から路面モデルの位置を設定する必要がなくなり、タイヤのシミュレーションの効率化を図ることができる。
【００４６】
本実施形態においては、図２に示す２次元タイヤ断面モデルのタイヤモデル４０を例にして説明したが、これに限定されるものではなく、３次元タイヤモデルを用いることもできる。
図４（ａ）〜（ｃ）は、本発明の第１の実施形態のシミュレーション方法の解析工程を示す模式図である。
図４（ａ）は、図２に該当するものであり、リムもコンピュータで解析可能にモデル化されており、タイヤモデル４０にはリムモデル４４が嵌められている。図４（ａ）に示す状態で、タイヤモデル４０に対して路面モデル４２の位置を設定し、その位置に路面モデル４２を設置する。
【００４７】
タイヤモデル４０を、回転軸Ｃを対称軸として周方向に展開し、図４（ｂ）に示すタイヤモデル４６を得る。このタイヤモデル４６を３次元表示すると、図４（ｃ）に示す３次元タイヤモデル４８となる。このとき、路面モデル４３も３次元化する。これにより、図４（ｃ）に示すように３次元タイヤモデル４８に対して、所定の距離を与えた設定位置、すなわち、所定の距離離れた位置に３次元の路面モデル４３が配置される。タイヤモデル４８と路面モデル４３のいずれか一方を拘束し、その状態で接触処理を実施する。
【００４８】
２次元タイヤモデルを用いて、路面モデルの設定位置を決定し、その後、３次元タイヤモデルとすることにより、最初から３次元タイヤモデルを用いて路面モデルの設定位置を算出するよりも計算量を少なくでき容易に、路面モデルの位置を決定することができる。また、軸対称な２次元タイヤモデルを周方向に展開して３次元タイヤモデルとするため、計算負荷を少なくすることができ、計算処理の効率化を図ることができる。
【００４９】
次に、本発明の第２の実施形態について説明する。
図５は、本発明の第２の実施形態のシミュレーション方法を示すフローチャートである。
本実施形態のシミュレーション方法は、図３に示す第１の実施形態のシミュレーション方法に比して、接触解析の対象となるタイヤモデルが複数あり、全てのタイヤモデルについて接触処理する（ステップＳ１８）点が異なり、それ以外の工程（ステップＳ１０〜ステップＳ１６）は、図３に示す第１の実施形態のシミュレーション方法と同じであるため、その詳細な説明は省略する。なお、条件設定部２０に予め複数のタイヤモデルのタイヤのサイズ、タイヤを構成する各部材の大きさ、配置位置および弾性係数等の物理特性等の各種の条件および情報が入力されてメモリ２８に記憶される。
【００５０】
具体的には、本実施形態のシミュレーション方法では、コンピュータで解析可能なタイヤモデルを作成し（ステップＳ１０）、それぞれのタイヤモデルに対して内圧充填処理を施した後、各タイヤモデルの径方向Ｄ（図２参照）における最大の位置Ａ（図２参照）の位置情報を取得する（ステップＳ１２）。最大位置の位置情報に基づいて、その最大位置から所定の距離を与えた設定位置、すなわち、所定の距離離れた位置に、コンピュータで解析可能な路面モデルを作成し（ステップＳ１４）、接触解析を実行する（ステップＳ１６）。上記ステップＳ１０〜ステップＳ１６を接触解析の対象となる全てのタイヤモデルに対して実施するまで繰り返し行う（ステップＳ１８）。
【００５１】
本実施形態では、形状および構造等の異なるタイヤモデルを少なくとも２つ、すなわち、複数作成して、各タイヤモデルの計算を行う場合、内圧充填処理したタイヤモデルのインフレート形状からオペレータが路面モデルの位置を調整することなく、自動設定されるため、計算の破綻を防ぎつつ、シミュレーションの効率化を図ることができる。このように複数のタイヤモデルについて計算を行う場合に本発明は、特に有効である。
【００５２】
本発明は、基本的に以上のように構成されるものである。以上、本発明のシミュレーション方法、その装置およびプログラムについて詳細に説明したが、本発明は上記実施形態に限定されず、本発明の主旨を逸脱しない範囲において、種々の改良または変更をしてもよいのはもちろんである。
【実施例】
【００５３】
以下、本発明のシミュレーション方法の効果について具体的に説明する。
本実施例では、実施例１〜４および比較例１、ならびに基準例のシミュレーション方法でタイヤの縦剛性を計算し、そのときの計算の破綻および計算時を調べて、本発明のシミュレーション方法の効果を確認した。
【００５４】
本実施例では、タイヤサイズ２１５／５５Ｒ１７のタイヤモデルを基準として、形状パラメータである外径の変化量および幅の変化量を設計変数として実験計画に従い作成した全ての解析対象タイヤモデルの縦剛性を、有限要素法（ＦＥＭ）を用いて算出する解析を行い、計算が収束した数および計算に要する時間の比較を行った。
なお、実験計画手法として、ラテン超方格法を用いて計画行列、すなわち、設計変数の組合せを作成した。そして、各行列における設計変数の組合せに従い、それらの形状の線形和から５０ケースのランダムなタイヤ形状を表現し、それらを解析対象タイヤモデルとして解析を行った。
外径の変化については、図６（ａ）に示すように、基準となるタイヤサイズ２１５／５５Ｒ１７のタイヤモデル５０を径方向Ｄに設計変数としてパラメトリックに外径を変化させたタイヤモデル５２を用いる。また、幅の変化については、図６（ｂ）に示すように、基準となるタイヤサイズ２１５／５５Ｒ１７のタイヤモデル５０を幅方向Ｗに設計変数としてパラメトリックに幅を変化させたタイヤモデル５４を用いる。
【００５５】
以下、実施例１〜４および比較例１、ならびに基準例について説明する。
基準例は、最初から３次元タイヤモデルおよび３次元の路面モデルを用いた。基準例のシミュレーション手順としては、まず、３次元タイヤモデルおよび３次元の路面モデルを作成し、その後、３次元の路面モデルの位置を設定して、３次元の路面モデルを設定位置に配置し、接地計算を実施した。その後、ＦＥＭで縦剛性を算出した。
以上の手順を上述の５０ケースについて行った。なお、路面モデルの位置は、基準モデルの外径＋１ｍｍとし、ケース毎に変えることなく、５０ケースで一律とした。
【００５６】
比較例１は、最初から３次元タイヤモデルおよび３次元の路面モデルを用いた。比較例１のシミュレーション手順としては、まず、３次元タイヤモデルおよび３次元の路面モデルを作成し、その後、３次元の路面モデルの位置を予め大きく離れた位置に設定して、３次元の路面モデルを設定位置に配置し、接地計算を実施した。その後、ＦＥＭで縦剛性を算出した。
以上の手順を上述の５０ケースについて行った。なお、路面モデルの位置は、基準モデルの外径＋５０ｍｍとし、ケース毎に変えることなく、５０ケースで一律とした。
【００５７】
実施例１は、最初から３次元タイヤモデルおよび３次元の路面モデルを用いた。実施例１のシミュレーション手順としては、３次元タイヤモデルおよび３次元の路面モデルを作成し、３次元タイヤモデルに対して内圧充填処理を施してインフレート状態とし、路面モデルの位置をインフレート時外径＋１ｍｍに設定した。そして、３次元の路面モデルを設定位置に配置し、接地計算を実施し、その後、ＦＥＭで縦剛性を算出した。
【００５８】
実施例２は、実施例１に比して、３次元の路面モデルの位置を、インフレート時外径＋８ｍｍに設定した点以外は、実施例１と同様にしてシミュレーションしたため、その詳細な説明は省略する。
実施例３は、実施例１に比して、３次元の路面モデルの位置を、インフレート時外径＋１５ｍｍに設定した点以外は、実施例１と同様にしてシミュレーションしたため、その詳細な説明は省略する。
実施例４は、２次元軸対称タイヤモデルを用いた。実施例４のシミュレーション手順としては、２次元軸対称モデルを作成し、この２次元軸対称タイヤモデルに対して、内圧充填処理を施してインフレート状態とし、路面モデルの位置をインフレート時外径＋１ｍｍに設定した。そして、インフレート状態で２次元軸対称タイヤモデルを周方向に展開して３次元タイヤモデルを作成した。そして、接地計算を実施し、その後、ＦＥＭで縦剛性を算出した。
【００５９】
実施例１〜４および比較例１、ならびに基準例におけるタイヤの縦剛性の計算の収束ケース数と、計算時間を下記表１に示す。
収束ケース数は、５０ケースのうち、いくつ計算が破綻したかを示す。５０ケースのうち、計算が破綻したものがなければ、５０／５０と表記する。なお、タイヤモデルの径方向の最大位置が路面モデルに貫入したものを計算が破綻したとした。具体的には、本実施例では、接触解析のプログラムに、最大位置が路面モデルに貫入した場合に計算を実行させないエラートラップを設けておき、このエラートラップが働いた場合を、計算が破綻したとし、収束ケース数には数えない。
計算時間は、全ての計算時間を収束ケース数で割った平均時間とした。基準例の計算時間を１００とした指数で示した。なお、基準例では、４３ケース、計算を実行しているので、４３ケースの平均時間である。
【００６０】
【表１】
2015125461.tif 000003
【００６１】
上記表１に示すように、実施例１〜４は、５０ケースのタイヤモデルに対して縦剛性を計算したが、いずれも計算が破綻するものがなかった。また、計算時間についても基準例よりも短いか同程度であった。このように本発明のシミュレーション方法では、計算の破綻を防止することと計算時間の短縮を両立することができた。特に、実施例４のように、２次元軸対称タイヤモデルに対して、内圧充填処理を施して、路面モデルの位置を設定した後、２次元軸対称タイヤモデルを周方向に展開して３次元タイヤモデルを作成した場合には、計算時間をより一層短縮することができる。
一方、比較例１は、計算の破綻はないものの、計算時間が大幅に要した。なお、基準例は上述のようにタイヤモデルが路面モデルに貫入することによる計算の破綻が多い。
【符号の説明】
【００６２】
１０  シミュレーション装置（処理装置）
１２  処理部
１４  入力部
１６  表示部
２０  条件設定部
２２  モデル作成部
２４  解析部
２６  探索部
２８  メモリ
３０  表示制御部
３２  制御部
４０、１００  タイヤモデル
４２、１１０  路面モデル
４４  リムモデル
４６  タイヤモデル
４８  ３次元タイヤモデル
【図１】
2015125461.tif 000004
【図２】
2015125461.tif 000005
【図３】
2015125461.tif 000006
【図４】
2015125461.tif 000007
【図５】
2015125461.tif 000008
【図６】
2015125461.tif 000009
【図７】
2015125461.tif 000010